(57)【特許請求の範囲】
【請求項１】
背の高さが異なる２つのタバコパッケージを上方開口部から並べた状態で投入して収納するための薄型直方体形状のタバコパッケージ用化粧箱であって、箱全体の高さは背の高い方のタバコパッケージとほぼ同じ高さで、上方開口部の長辺側の両サイドにそれぞれ内向きの折返し片を有しており、一方の折返し片は折り返した時にその先端縁が背の低い方のタバコパッケージよりも上方に位置し、他方の折返し片は折り返した時にその先端縁が背の低い方のタバコパッケージよりも下方に位置するようになっていることを特徴とするタバコパッケージ用化粧箱。
【請求項２】
タバコパッケージを収納するスペースとは別のスペースを設け、そこにオマケを収納したことを特徴とする請求項１に記載のタバコパッケージ用化粧箱。
【発明の詳細な説明】
【技術分野】
【０００１】
本発明は、異なる種類のタバコパッケージを収納して販売するための化粧箱に係り、詳しくは、背の高さが異なる２つのタバコパッケージを収納して販売形態とする化粧箱に関するものである。
【背景技術】
【０００２】
従来より、販売促進を図るため、化粧箱に複数個のタバコパッケージを収納したり、異なる種類のタバコパッケージを組み合わて収納した商品が店頭で販売されている。この場合、ライターなどのオマケを一緒に付けることもよく行われている。
【特許文献１】特表２００３−５２８７８０号公報
【発明の開示】
【発明が解決しようとする課題】
【０００３】
ところで、化粧箱に異なる種類のタバコパッケージが入った商品を購入すると、違った味を楽しめたり、オマケが付いていたりするので、タバコ好きな人にとっては思わず手が出てしまうものである。このように異なる種類のタバコパッケージを入れた化粧箱は販売促進の観点から好ましいが、普通サイズとスリムサイズのように２つのパッケージの背の高さが異なる場合、一緒に化粧箱に入れると隙間ができてがたつきが生じてしまう。したがって、このがたつきを無くすには、同じサイズのものを選んで収納しなければならず、選択の幅が狭くなっていた。また、隙間に別の詰め物を入れればよいが、箱詰め作業が煩雑になるという問題が生じてしまう。
【０００４】
本発明は、このような事情に鑑みてなされたものであり、その目的とするところは、背の高さが異なる２つのタバコパッケージをがたつかない状態で収納でき、しかも簡単に収納状態にすることができるタバコパッケージ用化粧箱を提供することにある。
【課題を解決するための手段】
【０００５】
請求項１に記載の発明であるタバコパッケージ用化粧箱は、背の高さが異なる２つのタバコパッケージを上方開口部から並べた状態で投入して収納するための薄型直方体形状のタバコパッケージ用化粧箱であって、箱全体の高さは背の高い方のタバコパッケージとほぼ同じ高さで、上方開口部の長辺側の両サイドにそれぞれ内向きの折返し片を有しており、一方の折返し片は折り返した時にその先端縁が背の低い方のタバコパッケージよりも上方に位置し、他方の折返し片は折り返した時にその先端縁が背の低い方のタバコパッケージよりも下方に位置するようになっていることを特徴としている。
【０００６】
請求項２に記載の発明であるタバコパッケージ用化粧箱は、請求項１に記載のタバコパッケージ用化粧箱において、タバコパッケージを収納するスペースとは別のスペースを設け、そこにオマケを収納したことを特徴としている。
【発明の効果】
【０００７】
請求項１に記載の発明であるタバコパッケージ用化粧箱は、背の高さが異なる２つのタバコパッケージを上方開口部から投入すると、背の高い方のタバコパッケージは折返し片の反発力で保持され、背の低い方のタバコパッケージは一方の折返し片の先端縁で保持された状態になるので、投入するという簡単な作業だけで、背の高さが異なる２つのタバコパッケージをがたつかず、しかも簡単には外れない状態で収納して販売形態にすることができる。
【０００８】
請求項２に記載の発明であるタバコパッケージ用化粧箱は、オマケを収納したことにより、２種類のタバコパッケージにより違った味のタバコを楽しめるという利点に加え、オマケの持つ楽しみが増えることで、販売促進を図ることができる。
【発明を実施するための最良の形態】
【０００９】
次に、本発明の実施の形態について図面を参照しながら詳細に説明する。
【００１０】
図１は本発明に係るタバコパッケージ用化粧箱の一例を上方斜めから見た状態で示す斜視図、図２は図１のタバコパッケージ用化粧箱を形成するブランクの平面図である。
【００１１】
図１のタバコパッケージ用化粧箱Ａは、普通サイズとスリムサイズのタバコパッケージをそれぞれ一つずつと、オマケとしてのライターを併せて収納するもので、外観は薄型直方体形状であり、図２に示すブランクＢを組み立てて作製される。
【００１２】
ブランクＢは、印刷による化粧を施した薄手の板紙を打ち抜いて形成したもので、図示のように、折線ａ，ｂ，ｃ，ｄを介して側面パネル１１、前面パネル１２、側面パネル１３、背面パネル１４及び糊代フラップ１５が順次連設されている。そして、前面パネル１２の上辺には折線ｅを介して右側に折返し片１６と左側に外蓋パネル１７が連設され、下辺には折線ｆを介して底面パネル１８とその先端に折線ｇを介して差込みフラップ１９が連設されており、背面パネル１４の上辺には折線ｈを介して左側に折返し片２０と右側に内蓋パネル２１が連設されている。また、側面パネル１１の下辺には折線ｉを介して折込みフラップ２２が連設され、側面パネル１３の上下辺にはそれぞれ折線ｊ，ｋを介して折込みフラップ２３，２４が連設されている。これら側面パネル１１、前面パネル１２、側面パネル１３及び背面パネル１４の高さは、背の高いスリムサイズのタバコパッケージの高さより僅かに高いサイズである。
【００１３】
前面パネル１２の上辺右側にある折返し片１６と背面パネル１４の上辺左側にある折返し片２０は同じ長さで、２個のタバコパッケージを横に並べた長さより僅かに大きなサイズになっている。そして、折返し片１６の幅は、前面パネル１２の高さと背の低い普通サイズのタバコパッケージの高さの差より僅かに小さくなっており、折返し片２０の幅はそれより大きく、内蓋パネル２１と同じ幅になっている。そして、幅が小さい方の折返し片１６には右端に突片１６ａが設けられており、幅が大きい方の折返し片２０にはその折線ｈのところに円形の開口２０ａ，２０ｂが２つ並んで形成されている。
【００１４】
また、前面パネル１２の上辺左側にある外蓋パネル１７には、その先端に折線ｌを介して差込み片２５が突設しており、その差込み片２５は、背面パネル１４の上辺右側にある内蓋パネル２１の折線ｈのところの切込２１ａに差込み可能になっている。また、外蓋パネル１７の右辺には折線ｍを介して折曲げ片２６が設けられ、その折線ｍのところには中のオマケを確認するための小孔１７ａが形成されている。
【００１５】
前面パネル１２には、その左右２箇所に窓２７，２８が形成されており、これらを塞ぐようにして前面パネル１２には全体に透明フィルムが貼着されている。また、前面パネル１２の下辺にある折線ｆのところには左右２箇所に脚用の切込１２ａ，１２ｂが形成されている。
【００１６】
背面パネル１４には、その下端に脚用の凸部１４ａ，１４ｂが設けられており、さらにそれらの中程には折線ｏを介して差込み片２９が突設しており、その差込み片２９は底面パネル１８の先端にある折曲げ片１９の折線ｇのところの切込１９ａに差込み可能になっている。また、背面パネル１４のほぼ中程には吊下部分３０が設けられている。この吊下部分３０は途中にツナギを有する大きなＵ字状の切込線１４ｃとその両端を結ぶ折線ｎにより区画されており、その中には吊下用の孔３０ａが形成されている。
【００１７】
前面パネル１２の下辺にある底面パネル１８には、小さなＵ字状の切込線１８ａとその両端を結ぶ折線ｐにより起立片３１が区画されており、この折線ｐは前面パネル１２の上辺にある外蓋パネル１７とその折曲げ片２６との境界線である折線ｍと対応するところに位置している。また、側面パネル１３には、前面パネル１２の窓２７に隣接するところには中のオマケを確認するための小孔１３ａが形成されている。
【００１８】
このブランクＢは、糊代フラップ１５の表側を側面パネル１１の先端部裏側に貼り合わせたサック貼り状態で折り畳まれる。そして、この折り畳んだブランクＢからタバコパッケージ用化粧箱Ａを組み立てるには、まず、折り畳んだブランクＢを角筒状に起こした後、底面側で、折込みフラップ２２，２４をそれぞれ内側に折り曲げた後、底面パネル１８を折り曲げ、差込みフラップ１９を背面パネル１４の裏側に差し込んでから、背面パネル１４の下端にある差込み片３０を差込みフラップ１９の切込１９ａに差し込んで底部を形成する。
【００１９】
このように底部を形成した後、底面パネル１８の起立片３１を内側に起こしてから、外蓋パネル１７及び内蓋パネル２１があるところからオマケを挿入して蓋をする。すなわち、内蓋パネル２１と折込みフラップ２３をそれぞれ内側に折り曲げ、上蓋パネル１７を折り曲げてその先端にある差込み片２５を内蓋パネル２１の切込２１ａに差し込んで蓋をする。この時、オマケがライターの場合は、樹脂シートの成形品からなる台座に載せたものを挿入すればガタツキを防止できる。
【００２０】
次いで、図１に示すように、外蓋パネル１７に連設する折曲げ片２６を内側に折り曲げてから、前面パネル１２に連設する幅が小さい方の折返し片１６と背面パネル１４に連設する幅の大きい方の折返し片２０をともに内側に折り返した状態にする。この時、折返し片２０には開口２０ａ，２０ｂが形成されているので、折り曲げやすくなっている。また、折返し片１６には突片１６ａがあるので、これが折り曲げた折返し片２０に引っ掛かかることで戻り防止の役目を果たしている。
【００２１】
このように、両方の折返し片１６，２０をそれぞれ内側に折り曲げて図１に示す状態としてから、上方開口部にある折返し片１６，２０の間から普通サイズとスリムサイズのタバコパッケージを投入する。これにより、図３及び図４に示すように、高さの異なる２つのタバコパッケージＴ1 ，Ｔ2 が収納される。この収納状態では、幅が小さい方の折返し片１６の先端縁が背の低い方のタバコパッケージＴ1 よりも上方に位置し、幅が大きい方の折返し片２０の先端縁が背の低い方のタバコパッケージＴ1 よりも下方に位置するので、背の高い方のタバコパッケージＴ2 は折返し片１６，２０の反発力で保持され、背の低い方のタバコパッケージＴ1 は折返し片１６の先端縁で保持される。したがって、高さが異なる２つのタバコパッケージＴ1 ，Ｔ2 をがたつかず、簡単に外れることがない状態で収納できる。なお、図３及び図４では、背の低い方のタバコパッケージＴ1 の方を内側に入れ、背の高い方のタバコパッケージＴ2 を外側に入れたが、これらを逆に入れても同様のことが言える。
【００２２】
このタバコパッケージ用化粧箱Ａは、ブランクＢを組み立てると、前面パネル１２の下辺にある切込１２ａ，１２ｂと背面パネル１４の下端にある凸部１４ａ，１４ｂとにより４箇所に脚が形成されるので、安定して立てることができる。また、背面パネル１４のほぼ中程にある吊下部分３０を利用することで店頭にて吊り下げることができる。すなわち、切込線１４ｃのツナギを破断して吊下部分３０を外側に起こし、孔３０ａのところでフック等に吊り下げればよい。
【００２３】
なお、収納状態のタバコパッケージ用化粧箱Ａをスタックしたり並べたりすると、窓２７が隠れて中のオマケが見えない場合があるが、このような時は側面パネル１３の小孔１３ａや外蓋パネル１７の小孔１７ａから中のオマケを確認することができる。また、例えばオマケがガスライターの場合だと、店頭での陳列中にガスが箱の中に溜まり、暴発に至る危険性があるが、これらの小孔１３ａ，１７ａを設けておくことで空気の流れがよくなるという利点もある。
【００２４】
以上、本発明の実施の形態について詳細に説明してきたが、本発明によるタバコパッケージ用化粧箱は、上記実施の形態に何ら限定されるものではなく、本発明の趣旨を逸脱しない範囲において種々の変更が可能であることは当然のことである。
【図面の簡単な説明】
【００２５】
【図１】本発明に係るタバコパッケージ用化粧箱の一例を上方斜めから見た状態で示す斜視図である。
【図２】図１のタバコパッケージ用化粧箱を形成するブランクの平面図である。
【図３】高さの異なる２つのタバコパッケージを収納した図１のタバコパッケージ用化粧箱を前方斜めから見た状態で示す斜視図である。
【図４】高さの異なる２つのタバコパッケージを収納した図１のタバコパッケージ用化粧箱を後方斜めから見た状態で示す斜視図である。
【符号の説明】
【００２６】
Ａ  タバコパッケージ用化粧箱
Ｂ  ブランク
ａ〜ｐ  折線
１１  側面パネル
１２  前面パネル
１２ａ，１２ｂ  切込
１３  側面パネル
１３ａ  小孔
１４  背面パネル
１４ａ，１４ｂ  凸部
１５  糊代フラップ
１６  折返し片
１６ａ  突片
１７  外蓋パネル
１７ａ  小孔
１８  底面パネル
１８ａ  切込線
１９  差込みフラップ
１９ａ  切込
２０  折返し片
２０ａ，２０ｂ  開口
２１  内蓋パネル
２１ａ  切込
２２，２３，２４  折込みフラップ
２５  差込み片
２６  折曲げ片
２７，２８  窓
２９  差込み片
３０  吊下部分
３０ａ  孔
３１  起立片
【図１】
0004780399.tif 000002
【図２】
0004780399.tif 000003
【図３】
0004780399.tif 000004
【図４】
0004780399.tif 000005